(57)【特許請求の範囲】
【請求項１】
シートの背面に設けられるベースと、
前記ベースに対して回動可能に支持されたテーブル本体と、
前記ベース及び前記テーブル本体の一方に回動可能に支持されたロッドと、を備え、
前記ベース及び前記テーブル本体のうち、前記ロッドを支持する一方と異なる他方には、前記ロッドの先端部が移動可能な溝であるガイドレールが環状に形成され、
前記ガイドレールは、往路のレール部及び復路のレール部を有し、前記往路のレール部は複数のロック溝を含み、
前記テーブル本体は、前記ロッドの先端部が前記ロック溝のいずれかに係止されることによりロックされ、前記ロッドの先端部が前記復路のレール部を移動して収納位置に位置することにより収納される
シート用テーブル。
【請求項２】
前記ロッドは、その先端部が前記ガイドレールの底面に向かって付勢され、
前記ガイドレールは、前記往路のレール部及び前記復路のレール部が切り替わる切替位置を含み、
前記復路のレール部のうち前記切替位置側の端部は、前記往路のレール部のうち前記切替位置側の端部よりも深い
請求項１に記載のシート用テーブル。
【請求項３】
前記ロッドは、その先端部が前記ガイドレールの底面に向かって付勢され、
前記往路のレール部のうち前記収納位置側の端部は、前記復路のレール部のうち前記収納位置側の端部よりも深い
請求項１又は２に記載のシート用テーブル。
【請求項４】
前記ベースが前記シートに固定された状態において、前記テーブル本体の収納を開始するときの前記ロッドの先端部の位置である収納開始位置が、前記テーブル本体の収納が完了する前記収納位置よりも鉛直方向上側に位置する
請求項１〜３のいずれか１項に記載のシート用テーブル。
【請求項５】
前記ガイドレールは、当該ガイドレールが設けられた前記ベース及び前記テーブル本体の一方のうち、収納された前記テーブル本体及び前記ベースが互いに向かい合う対向面に対し交差する面に形成されている
請求項１〜４のいずれか１項に記載のシート用テーブル。
【請求項６】
前記ロッドは、前記ベース及び前記テーブル本体の一方に回動可能に支持された水平部と、前記水平部の両端から延在する１対のアーム部とを有し、前記アーム部の先端には前記先端部が設けられ、
前記先端部の各々は、前記１対のアーム部の間に向かうように内側に延在するか、又は前記アーム部の外側に向かって延在する
請求項１〜５のいずれか１項に記載のシート用テーブル。
【発明の詳細な説明】
【技術分野】
【０００１】
本発明は、車両などのシートの背面に設けられるシート用テーブルに関する。
【背景技術】
【０００２】
シートには、ユーザの背中を支えるシートバックの背面にテーブルを備えたものがある。このテーブルは、テーブル本体を略水平にして使用される。このため、シートバックの傾斜角度が調整可能なシートにおいては、テーブル本体の姿勢を略水平にするために、シートバックの傾斜角度に応じてテーブル本体の角度を調整可能なテーブルが設けられることが好ましい。
【０００３】
特許文献１には、シートバックの背面に設けられた一対のヒンジブラケットに回動可能に支持されたテーブル本体を備えたテーブルが記載されている。このテーブルは、シートバックの背面に設けられたカム部材と、カム部材に支持された略Ｕ字状のスプリングロッドとを備える。スプリングロッドは、カム部材に支持された端部と反対側の端部が、ガイドレールに挿入されている。ガイドレールは、複数のロック溝を有し、このロック溝のいずれかにスプリングロッドの先端が選択的に係止されることで、テーブル本体の角度調整が行われる。また、テーブル本体は、ガイドレールの端部がロック溝の並ぶ方向に往復動することで収納された状態から略水平な姿勢の状態へ向かう方向、及びその逆方向に回動する。
【先行技術文献】
【特許文献】
【０００４】
【特許文献１】特開２００２−１５４３６２号公報
【発明の概要】
【発明が解決しようとする課題】
【０００５】
しかし、上記のテーブル本体を略水平な姿勢とするときだけでなく、テーブル本体を収納するときにも、スプリングロッドの先端部がロック溝に係止されながら移動するため、操作が煩わしいという問題がある。
【０００６】
本発明は、このような実情に鑑みてなされたものであり、その目的は、テーブル本体の角度を調整することが可能なテーブルについて、その操作性を向上することにある。
【課題を解決するための手段】
【０００７】
以下、上記課題を解決するための手段及びその作用効果について記載する。
【０００８】
上記課題を解決するシート用テーブルは、シートの背面に設けられるベースと、前記ベースに対して回動可能に支持されたテーブル本体と、前記ベース及び前記テーブル本体の一方に回動可能に支持されたロッドと、を備え、前記ベース及び前記テーブル本体のうち、前記ロッドを支持する一方と異なる他方には、前記ロッドの先端部が移動可能な溝であるガイドレールが環状に形成され、前記ガイドレールは、往路のレール部及び復路のレール部を有し、前記往路のレール部は複数のロック溝を含み、前記テーブル本体は、前記ロッドの先端部が前記ロック溝のいずれかに係止されることによりロックされ、前記ロッドの先端部が前記復路のレール部を移動して収納位置に位置することにより収納される。
【０００９】
上記構成によれば、ガイドレールは環状に形成されているので、ロッドの先端部をガイドレールに沿って周回させることによって、テーブル本体を、収納状態及び略水平の姿勢とされる使用状態とすることができる。したがって、テーブル本体を収納する際は、ロッドの先端部が収納位置までスムーズに移動するため、ロッドの先端部をロック溝に係止させながら移動させる必要がなく、収納時の操作が容易なものとなる。このため、シート用テーブルの操作性を向上することができる。
【００１０】
上記シート用テーブルについて、前記ロッドは、その先端部が前記ガイドレールの底面に向かって付勢され、前記ガイドレールは、前記往路のレール部及び前記復路のレール部が切り替わる切替位置を含み、前記復路のレール部のうち前記切替位置側の端部は、前記往路のレール部のうち前記切替位置側の端部よりも深いことが好ましい。
【００１１】
上記構成によれば、復路のレール部のうち切替位置側の端部は、往路のレール部のうち切替位置側の端部よりも深い。したがって、付勢されたロッドの先端部が、往路のレール部から復路のレール部へ移動する際、先端部が復路側の端部に移動しやすくなる。このため、テーブル本体の動作をスムーズに行うことができる。
【００１２】
上記シート用テーブルについて、前記ロッドは、その先端部が前記ガイドレールの底面に向かって付勢され、前記往路のレール部のうち前記収納位置側の端部は、前記復路のレール部のうち前記収納位置側の端部よりも深く形成されてなることが好ましい。
【００１３】
上記構成によれば、往路のレール部のうち収納位置側の端部は、復路のレール部のうち収納位置側の端部よりも深い。したがって、付勢されたロッドの先端部が、復路のレール部から往路のレール部へ移動する際、すなわち収納されたテーブル本体が回転されて使用されるとき、先端部が往路側の端部に移動しやすくなる。このため、テーブル本体をスムーズに収納することができる。
【００１４】
上記シート用テーブルについて、前記ベースが前記シートに固定された状態において、前記テーブル本体の収納を開始するときの前記ロッドの先端部の位置である収納開始位置が、前記テーブル本体の収納が完了する前記収納位置よりも鉛直方向上側に位置することが好ましい。
【００１５】
上記構成によれば、復路のレール部において、収納開始位置が収納位置よりも鉛直方向上方に位置するので、テーブル本体の荷重がロッドに加えられることによってテーブル本体をスムーズに収納することができる。
【００１６】
上記シート用テーブルについて、前記ガイドレールは、当該ガイドレールが設けられた前記ベース及び前記テーブル本体の一方のうち、収納された前記テーブル本体及び前記ベースが互いに向かい合う対向面に対し交差する面に形成されていることが好ましい。
【００１７】
上記構成によれば、ガイドレールは、ベースのうちテーブル本体との対向面と交差する面に設けられている。このため、ベースにテーブル本体が接近した場合であっても、ロッドとテーブル本体とが干渉せず、ロッドがロック溝を形成する山部を乗り越える動作が阻害されない。そのため、テーブル本体を回動させるだけで角度調整を行うことができるため、角度調整の操作が容易となる。
上記シート用テーブルについて、前記ロッドは、前記ベース及び前記テーブル本体の一方に回動可能に支持された水平部と、前記水平部の両端から延在する１対のアーム部とを有し、前記アーム部の先端には前記先端部が設けられ、前記先端部の各々は、前記１対のアーム部の間に向かうように内側に延在するか、又は前記アーム部の外側に向かって延在することが好ましい。
上記構成によれば、ロッドの先端部がロック溝に係合しやすくなる。
【発明の効果】
【００１８】
本発明によれば、テーブル本体の角度を調整することが可能なテーブルについて、その操作性を向上することができる。
【図面の簡単な説明】
【００１９】
【図１】シート用テーブルの一実施形態について、シート用テーブル及びシート用テーブルが適用されるシートの全体構成を示す斜視図。
【図２】同実施形態のシート用テーブルの全体の構造を示す斜視図。
【図３】同実施形態のシート用テーブルのガイドレールの構造を示す図。
【図４】同実施形態のシート用テーブルのガイドレールの断面を示す図。
【図５】同実施形態のシート用テーブルについて、（ａ）収納状態を示す図、（ｂ）は収納状態のときのロッド先端の位置を示す図。
【図６】同実施形態のシート用テーブルについて、（ａ）ロック時にテーブル本体の角度が最小である状態を示す図、（ｂ）は（ａ）の状態でのロッド先端の位置を示す図。
【図７】同実施形態のテーブルについて、（ａ）ロック時にテーブル本体の角度が最大である状態を示す図、（ｂ）は（ａ）の状態でのロッド先端の位置を示す図。
【図８】同実施形態のテーブルについて、シートバックに対するテーブル本体の角度がロック時で最大となった状態と、最小となった状態を示す図。
【図９】同実施形態のテーブルについて、（ａ）テーブル本体の収納を開始する状態を示す図、（ｂ）は（ａ）の状態でのロッド先端の位置を示す図。
【発明を実施するための形態】
【００２０】
以下、シート用テーブルを具体化した一実施形態を説明する。
【００２１】
図１に示すように、シート用テーブル１０は、シート１００のうちユーザの背中を支えるシートバック１０１の背面に設けられる。シートバック１０１は、座面１０２を有するシートクッション１０３に対する角度である傾斜角度αを調整可能に構成されている。シート用テーブル１０は、シートバック１０１に取り付けられるベース１１と、ベース１１に対して回動可能に支持されるテーブル本体１２とを備えている。ベース１１は、樹脂又は金属等の材料からなる。テーブル本体１２は、樹脂又は金属等の材料からなる。テーブル本体１２は、裏側にベース１１を収容可能な凹部を有している。テーブル本体１２には、コップ１１０などを挿入可能な孔部１３が貫通している。
【００２２】
図２に示すように、ベース１１には、ピン１４が挿入される支持部１５が設けられ、テーブル本体１２は支持部１５に挿入されたピン１４によって回転可能に支持される。ピン１４は、頭部１４Ａ側へ引き抜こうとする力が加えられた際に支持部１５の側面に当接するストッパを有しており、脱落が防止されている。
【００２３】
また、テーブル本体１２には、ロッド１６を支持するブラケット１７がボルト及びナットなどの締結部材によって固定されている。ブラケット１７は、ロッド１６を挿通する挿通溝１８を備えている。ブラケット１７は、挿通溝１８にロッド１６を挿通した状態で、挿通溝１８の開口をテーブル本体１２の底面側に向けてテーブル本体１２に取り付けられる。ブラケット１７の固定位置は、テーブル本体１２の正面１２Ａ側よりも背面１２Ｂ寄りの位置に設けられる。
【００２４】
ロッド１６は、ブラケット１７を介してテーブル本体１２に回動可能に支持されている。金属の線材などからなり、テーブル本体１２を支持する。ロッド１６は、テーブル本体１２の底面と平行な方向に延在する水平部２０と、水平部２０の延在方向に対して交差する方向に延在する１対のアーム部２１と、アーム部２１に対して交差する方向に延在する１対の先端部２２とを有している。１対のアーム部２１の間をロッド１６の「内側」とするとき、先端部２２は、アーム部２１の外側に向かって延在している。水平部２０の延在方向と先端部２２の延在方向とはほぼ平行である。これにより、ロッド１６は、略Ｕ字状の形状となっている。
【００２５】
ロッド１６の先端部２２の各々は、ベース１１に形成された各ガイドレール２５にそれぞれ挿入される。ロッド１６に荷重を加えない自然状態のときのアーム部２１の間の相対距離は、ガイドレール２５の間の相対距離よりも大きいため、ロッド１６の先端部２２をガイドレール２５に挿入する際は、アーム部２１を互いに近付けるように押し縮める。これにより、ロッド１６には、アーム部２１を拡開する方向への付勢力が付与されるので、先端部２２は、常にガイドレール２５の底面に押し付けられた状態となる。
【００２６】
また、ベース１１には、ベース１１にテーブル本体１２を被せた収納状態の際にロッド１６を収容するロッド収容部３０、ブラケット１７を収容するブラケット収容部３１が設けられている。ロッド収容部３０及びブラケット収容部３１は、ベース１１に凹状に設けられている。ベース１１のうち、テーブル本体１２がベース１１に被せられた際にテーブル本体１２と向かい合う面を対向面２７とするとき、ガイドレール２５は、ロッド収容部３０のうち対向面２７と交差する面に設けられている。ここでは、ガイドレール２５が形成された面は、対向面２７に対してほぼ垂直な面であって、ロッド１６のアーム部２１の長手方向に延在する面である。このため、ガイドレール２５が設けられる位置は、ユーザがシート用テーブル１０の正面に着座したとき、ユーザからは見えにくい位置であるとともに、ユーザの衣服や持ち物などが接触しにくい位置であるため、ガイドレール２５とロッド１６との間に異物が挟まりにくい。
【００２７】
さらに、ベース１１には、ホルダ３２を収容するホルダ収容部３３が設けられている。ホルダ３２は、ベース１１に対して回転可能に支持されており、テーブル本体１２の孔部１３にコップなどが挿入された際にコップなどを支持する。
【００２８】
次に図３及び図４を参照して、ガイドレール２５について詳述する。
図３は、１対のロッド収容部３０のうち、ベース１１の対向面２７側からみて左側のロッド収容部３０に形成されたガイドレール２５である。ガイドレール２５は、ロッド１６の先端部２２が周回する環状の溝である。ガイドレール２５は、収納位置Ｐ１から収納開始位置Ｐ２に向かって直線状に延在する第１溝４１と、収納開始位置Ｐ２から収納位置Ｐ１に向かって延在し、湾曲した形状を有する第２溝４２とを有する。収納位置Ｐ１は、テーブル本体１２が収納されたときのロッド１６の先端部２２の位置である。第１溝４１は往路のレール部であり、第２溝４２は復路のレール部である。収納開始位置Ｐ２は、テーブル本体１２の収納動作が開始されるときの先端部２２の位置である。ロッド１６の先端部２２は、収納位置Ｐ１から第１溝４１を通り、収納開始位置Ｐ２を経由して第２溝４２を通り収納位置Ｐ１に戻る。第１溝４１第２溝４２は、収納位置Ｐ１側の端部及び収納開始位置Ｐ２側の端部でそれぞれ接続され、ほぼ平行に延在している。第１溝４１及び第２溝４２の間には壁部４４が設けられている。
【００２９】
第１溝４１は、収納位置Ｐ１を含む。ベース１１がシートバック１０１に取り付けられた状態では、収納開始位置Ｐ２は収納位置Ｐ１よりも鉛直方向上方となる。
【００３０】
第２溝４２は、収納開始位置Ｐ２を含み、収納開始位置Ｐ２は、壁部４４よりも第１溝４１側に位置している。第２溝４２は、第１溝４１とは反対側の方向に湾曲し、収納開始位置Ｐ２と反対側の端部は、収納位置Ｐ１の手前で第１溝４１に接続する。第２溝４２は、収納開始位置Ｐ２と収納位置Ｐ１との間に直線部４３を有する。直線部４３は、第１溝４１の延在方向と平行であるが、第２溝４２のうち収納位置Ｐ１側の領域４５は、直線部４３の延在方向に対して交差する方向に延在する。
【００３１】
図４に示すように、第１溝４１のうち収納開始位置Ｐ２側には、５つの山部４７が形成されている。山部４７のうち、収納開始位置Ｐ２に最も近い山部４７は、他の山部４７よりも低くなっている。山部４７の間には、４つのロック溝４６が設けられている。ロック溝４６は、ロッド１６の先端部２２を係止する溝である。本実施形態では４つのロック溝４６が形成されているため、テーブル本体１２は４つの回動角度に調整することができる。山部４７は、収納開始位置Ｐ２側の面が、収納位置Ｐ１側の面よりも傾斜角が大きくなるような断面形状に形成されており、ロッド１６の先端部２２が、ロック溝４６を収納開始位置Ｐ２側から収納位置Ｐ１側へ移動することを抑止している。第１溝４１は、山部４７以外の部分は深さが一定である。
【００３２】
第２溝４２の収納開始位置Ｐ２と、収納開始位置Ｐ２に接続する第１溝４１との間には、段差４８が設けられている。段差４８は、第１溝４１及び第２溝４２が切り替わる切替位置に対応する。収納開始位置Ｐ２は、第１溝４１の収納開始位置Ｐ２側の端よりも深さが大きくなっている。第２溝４２は、収納開始位置Ｐ２から収納位置Ｐ１に向かうに伴い、溝の深さが小さく（浅く）なるように傾斜している。第２溝４２のうち収納位置Ｐ１に近い端部と、第１溝４１の収納位置Ｐ１との間には段差４９が設けられている。段差４９は、第２溝４２の収納位置Ｐ１側の端部が、段差４９が小さくなるように傾斜している。第１溝４１の収納位置Ｐ１は、第２溝４２のうち収納位置Ｐ１に最も近い端部よりも深さが大きくなっている。
【００３３】
ベース１１にテーブル本体１２を被せた収納状態では、ロッド１６の先端部２２は収納位置Ｐ１に位置する。収納状態のテーブル本体１２が、ベース１１から離れる方向に回転して略水平な状態とされるとき、ロッド１６の先端部２２は、ロッド１６の付勢力によりロック溝４６のいずれかに係止される。テーブル本体１２が、略水平な姿勢とされた状態からさらに持ち上げられたとき、ロッド１６の先端部２２は、付勢力によってロック溝４６を通過して、第１溝４１よりも深い第２溝４２の収納開始位置Ｐ２に移動する。そして、テーブル本体１２が最大限に持ち上げられた状態からベース１１に近付くように回転するとき、テーブル本体１２の重量に従って、ロッド１６の先端部２２は第２溝４２を摺動し、第２溝４２の収納位置Ｐ１側の端部よりも深い第１溝４１の収納位置Ｐ１に移動する。この際、第１溝４１と第２溝４２とが、段差４８，４９を有するため、ロッド１６の先端部２２の位置が、第１溝４１から第２溝４２へ切り替った後、また、第２溝４２から第１溝４１へ切り替った後、それの後戻りが確実に抑えられる。そのため、ロッド１６の先端部２２は、常に一方向に周回する。
【００３４】
図５〜図９を参照して、シート用テーブル１０の作用について説明する。
まず図５を参照して、ベース１１にテーブル本体１２が被せられた収納状態について説明する。図５（ａ）に示すように、収納状態では、ブラケット１７はブラケット収容部３１に収容され、ロッド１６はロッド収容部３０に収容される。また、ホルダ３２はホルダ収容部３３に収容される。また、テーブル本体１２は、ベース１１に被せられ、その内側面がベース１１の側面に設けられた突起１１Ａに係止されることで、シートバック１０１が背面側に傾斜する姿勢であっても収納状態を維持する。図５（ｂ）に示すように、このとき、ロッド１６の先端部２２は、ガイドレール２５のうち収納位置Ｐ１に位置する。
【００３５】
収納状態のテーブル本体１２を、ベース１１から離間する方向に回動させると、ロッド１６の先端部２２は、第１溝４１の底面を摺動しながら、ロック溝４６に到達する。
【００３６】
図６（ｂ）に示すように、ロッド１６の先端部２２が、複数のロック溝４６のうち収納位置Ｐ１に最も近いロック溝４６に係止されると、先端部２２の摺動が停止してテーブル本体１２が略水平の姿勢となる。ここで、「略水平の姿勢」とは、シート１００が設置される床面に対してほぼ平行となる状態が維持できる姿勢のことをいい、テーブル本体１２が床面に対して平行な姿勢や鉛直方向に対して直交する水平方向と平行となる姿勢に限定されない。図６（ａ）に示すように、ロッド１６の先端部２２が、複数のロック溝４６のうち収納位置Ｐ１に最も近いロック溝４６に係止された状態では、ロッド１６の先端部２２がロックされた状態のなかでは、ベース１１に対するテーブル本体１２の回動角度θは最も小さい。
【００３７】
図７（ｂ）に示すように、ロッド１６の先端部２２が、ロック溝４６のうち収納開始位置Ｐ２から最も近いロック溝４６に係止されると、先端部２２の摺動が停止してテーブル本体１２が略水平の姿勢となる。図７（ａ）に示すように、このようにロッド１６の先端部２２がロックされた状態において、ベース１１に対するテーブル本体１２の回動角度θは最も大きい。
【００３８】
ロッド１６の先端部２２が、複数のロック溝４６のうち、収納位置Ｐ１に最も近いロック溝４６と収納開始位置Ｐ２に最も近いロック溝４６との間のロック溝４６に係止されると、回動角度θは、図６（ａ）に示す状態の角度よりも大きく、図７（ａ）に示す状態の回動角度θよりも小さい角度となる。
【００３９】
図８中実線で示すように、シートバック１０１の傾斜角度αが最も小さく、直立に近い姿勢となるとき、ロック可能な位置のうち、ベース１１に対するテーブル本体１２の回動角度θを最も小さくした状態にして、テーブル本体１２を略水平な姿勢とする。すなわち、ロッド１６の先端部２２を、収納位置Ｐ１に最も近いロック溝４６に係止する。
【００４０】
シートバック１０１が背面側に倒され、その傾斜角度αが大きくなると、ユーザはテーブル本体１２を持ち上げて、テーブル本体１２の角度調整を行う。テーブル本体１２が持ち上げられることに伴い、ロッド１６の先端部２２が山部４７を乗り越え、隣接するロック溝４６に係止される。このとき、ガイドレール２５が、ベース１１の対向面２７に交差する面に設けられていることから、ロッド１６の先端部２２が山部４７を乗り越える動作が阻害されない。これにより、ベース１１に対するテーブル本体１２の回動角度θが大きくなり、テーブル本体１２が略水平な姿勢となる。
【００４１】
また、図８中２点鎖線で示すように、シートバック１０１の傾斜角度αが最も大きくされたとき、ユーザはさらにテーブル本体１２がロック可能な位置のうち、ベース１１に対するテーブル本体１２を持ち上げ、ロッド１６の先端部２２を最も収納開始位置Ｐ２に近いロック溝４６に係止させる。これにより、テーブル本体１２の回動角度が最も大きくなり、テーブル本体１２を略水平な姿勢となる。なお、上述したように本実施形態ではロック溝４６は４つ設けられているので、テーブル本体１２は、図８中実線で示す位置と、図８中２点鎖線で示す位置とのほかに、それらの位置の間となる２つの位置に調整可能である。
【００４２】
図９（ａ）に示すように、略水平の姿勢となったテーブル本体１２の収納を開始する場合には、さらにテーブル本体１２を持ち上げる。収納開始位置Ｐ２ではテーブル本体１２は支持されないため、テーブル本体１２の重力に従ってロッド１６の先端部２２は第２溝４２を摺動する。これにより、図９（ｂ）に示すように、ロッド１６の先端部２２は、直線部４３を通って、収納開始位置Ｐ２に近い領域４５に到達する。このとき領域４５の延在方向は、直線部４３の延在方向よりも鉛直方向に近い方向となるので、ロッド１６の先端部２２はテーブル本体１２及びロッド１６の荷重により収納位置Ｐ１に落ちるように移動する。
【００４３】
このように、シートバック１０１の傾斜角度αに応じてテーブル本体１２の角度を調整するとき、ユーザはテーブル本体１２を持ち上げるだけでよいため、操作が簡単である。また、略水平の姿勢のテーブル本体１２を収納する場合には、テーブル本体１２を最大限持ち上げた後、テーブル本体１２をベース１１側に回転させると、ロッド１６の先端部２２がスムーズに収納位置Ｐ１に移動するため、テーブル本体１２を収納する操作も簡単である。そのため、シート用テーブル１０の操作性を高めることができる。
【００４４】
また、ロッド１６の先端部２２は、ガイドレール２５を一方向に摺動する。すなわち、ロッド１６の先端部２２は、ロック溝４６を往復動することがないため、ロック溝４６を区画する山部４７を移動方向とは逆の方向への移動を抑止可能な構成とすることができる。したがって、ロッド１６をロックする力を大きくすることができる。さらに、テーブル本体１２の回動回数を一定としたとき、ロック溝４６を往復動する機構に比べ、山部４７を乗り越える回数が少なくなるため、ロック溝４６や山部４７の摩耗を抑制することができる。また、テーブル本体１２が収納されるときは、ロッド１６の先端部２２が溝の形成されていない第２溝４２を摺動するので、ロッド１６の先端部２２がロック溝４６から他のロック溝４６へ移動するときの音を発生させないようにすることができる。
【００４５】
さらに、シート用テーブル１０は、シート１００の角度調整機構などに連結しないため、シート１００の構造によって制約を受けない。このため、シート１００に、シート用テーブル１０を後から取り付けることができる。
【００４６】
以上説明したように、本実施形態によれば、以下の効果が得られるようになる。
（１）ガイドレール２５は環状に形成されているので、ロッド１６の先端部２２をガイドレール２５に沿って周回させることによって、テーブル本体１２を、収納状態及び略水平の姿勢とされる使用状態とすることができる。したがって、テーブル本体１２を収納する際は、ロッド１６の先端部２２が収納位置Ｐ１までスムーズに移動するため、ロッド１６の先端部２２をロック溝４６に係止させながら移動させる必要がなく、収納時の操作が容易なものとなる。このため、シート用テーブル１０の操作性を向上することができる。
【００４７】
（２）第２溝４２のうち収納開始位置Ｐ２側の端部は、第１溝４１のうち収納開始位置Ｐ２側の端部よりも深い。したがって、付勢されたロッド１６の先端部２２が、第１溝４１から第２溝４２へ移動する際、すなわちテーブル本体１２の収納が開始される際に先端部２２が第２溝４２側の端部に移動しやすくなる。このため、テーブル本体１２の収納をスムーズに開始することができる。
【００４８】
（３）第１溝４１のうち収納位置Ｐ１側の端部は、第２溝４２のうち収納位置Ｐ１側の端部よりも深い。したがって、付勢されたロッド１６の先端部２２が、第２溝４２から第１溝４１へ移動する際、すなわち収納されたテーブル本体１２が回動されて使用されるとき、先端部２２が第１溝４１に移動しやすくなる。このため、テーブル本体１２をスムーズに収納することができる。
【００４９】
（４）ガイドレール２５のうち収納開始位置Ｐ２が収納位置Ｐ１よりも鉛直方向上方に位置するので、テーブル本体１２の荷重がロッド１６に加えられることによって、テーブル本体１２をスムーズに収納することができる。
【００５０】
（５）ガイドレール２５は、ベース１１のうちテーブル本体１２との対向面２７と交差する面に設けられている。このため、ベース１１にテーブル本体１２が接近した場合であっても、ロッド１６とテーブル本体１２とが干渉せず、ロッド１６がロック溝４６を形成する山部４７を乗り越える動作が阻害されない。そのため、テーブル本体１２を回動させるだけで角度調整を行うことができるため、角度調整の操作が容易となる。
【００５１】
（他の実施形態）
なお、上記実施形態は、以下のような形態をもって実施することもできる。
・上記実施形態では、ガイドレール２５をベース１１に形成した。これ以外の態様として、ガイドレール２５をテーブル本体１２に形成してもよい。この場合、ガイドレール２５を支持するブラケット１７はベース１１に固定される。
【００５２】
・上記実施形態では、第１溝４１と第２溝４２との間に、段差４８，４９を設けたが、第１溝４１と第２溝４２との接続箇所を傾斜面としてもよい。すなわち、第１溝４１の収納開始位置Ｐ２側の端部と、第２溝４２の収納開始位置Ｐ２とを傾斜面で接続してもよい。また、第２溝４２の収納位置Ｐ１側の端部と、第１溝４１の収納位置Ｐ１とを傾斜面で接続してもよい。このようにしても、ロッド１６の先端部２２が、第１溝４１から第２溝４２へ移動するとき、及び第２溝４２から第１溝４１へ移動するときの動作をスムーズに行うことができる。
【００５３】
・上記実施形態では、第１溝４１と第２溝４２との間に、段差４８，４９を設けたが、ロッド１６の先端部２２がスムーズに移動可能な場合には、段差４８，４９を省略してもよいし、第１溝４１と第２溝４２との高低差を省略してもよい。また、収納位置Ｐ１側の段差４９は、傾斜面を有する構成としたが、傾斜面を有さない構成であってもよい。段差４８，４９が高いと、操作感（クリック感）が得られる等の効果がある。段差４８，４９が低いと、ロッド１６の先端部２２が段差４８，４９を越えることにより生じる音を小さくする等の効果を得ることができる。
【００５４】
・ロック溝４６の個数は、複数であればよく、４つ以外であってもよい。また、ロック溝４６を構成する山部４７の形状は、収納開始位置Ｐ２側の傾斜角度と収納位置Ｐ１側の傾斜角度とを同じにしてもよい。
【００５５】
・ガイドレール２５の第１溝４１は直線状でなくてもよく、他の形状であってもよい。また、第２溝４２は湾曲した形状以外の形状であってもよい。ガイドレール２５は環状であればよく、その形状は図３などに示す形状に限定されない。
【００５６】
・上記実施形態では、ロッド１６自体の付勢力により、ロッド１６の先端部２２をガイドレール２５の底面に向けて付勢するようにしたが、ロッド１６の先端部２２を、ロッド１６とは別に設けられたバネ等により、付勢するようにしてもよい。
【００５７】
・上記実施形態では、ベース１１に、ガイドレール２５をロッド１６の外側に向かって延在するように形成した。これ以外に、ガイドレール２５をロッド１６のアーム部２１の内側となるように形成し、ロッド１６の先端部２２をアーム部２１に対し内側に向かって延在するように形成してもよい。このようにしても、ロッド１６の先端部２２をガイドレール２５に係合させやすくすることができる。
・上記実施形態では、ロッド１６を略Ｕ字状の形状としたが、これ以外の形状であってもよい。例えば、水平部２０のない略Ｖ字状の形状でもよく、上記のロッド１６を２つに分けたものとしてもよい。
【００５８】
・上記実施形態では、収納開始位置Ｐ２を収納位置Ｐ１よりも鉛直方向上方に設けたが、ロッド１６がスムーズに移動可能な場合には、収納位置Ｐ１を収納開始位置Ｐ２よりも鉛直方向上方に設けてもよい。
【符号の説明】
【００５９】
１０…シート用テーブル、１１…ベース、１２…テーブル本体、１５…支持部、１６…ロッド、１７…ブラケット、２２…先端部、２５…ガイドレール、２７…対向面、３０…対向面と交差する面を有するロッド収容部、４１…往路のレール部としての第１溝、４２…復路のレール部としての第２溝、４３…直線部、４６…ロック溝、４７…山部、４８，４９…段差、１００…シート、１０１…シートバック、Ｐ１…収納位置、Ｐ２…収納開始位置。
【図１】
0006444936.tif 000002
【図２】
0006444936.tif 000003
【図３】
0006444936.tif 000004
【図４】
0006444936.tif 000005
【図５】
0006444936.tif 000006
【図６】
0006444936.tif 000007
【図７】
0006444936.tif 000008
【図８】
0006444936.tif 000009
【図９】
0006444936.tif 000010